(57)【特許請求の範囲】
【請求項１】
プラントの制御対象機器を監視及び制御するプラント監視制御装置と、前記プラント監視制御装置の操作画面を有する表示装置と、前記プラント監視制御装置への入力操作を受け付ける入力装置と、前記プラント監視制御装置にプラント制御バスを介して前記制御対象機器の監視情報を送信するプラント情報処理装置とを備えたプラント監視制御システムであって、
前記プラント監視制御装置は、
前記操作画面上に表示されるメッセージの内容及び表示条件を格納するメッセージ表示条件格納部と、
監視情報以外のメッセージ関連情報、及び前記プラント情報処理装置から取得した監視情報を前記メッセージ表示条件格納部に照会し、該メッセージ関連情報または該監視情報がメッセージの表示条件を満たすか否かを判定するメッセージ表示条件判定部と、
前記メッセージ表示条件判定部により該メッセージ関連情報または該監視情報がメッセージの表示条件を満たすと判定された場合、該表示条件に対応するメッセージの内容を前記メッセージ表示条件格納部から検索し、該内容に基づいてメッセージを作成するメッセージ作成部と、
作業予定及び行事予定の情報を含む日付情報及び曜日情報、時刻情報、気象情報、及びアラーム情報を含むメッセージ関連情報を収集すると共に、収集したメッセージ関連情報を、該メッセージ関連情報に含まれる情報の種類によって設定された周期で前記メッセージ表示条件判定部に送信するメッセージ関連情報発生部と、
前記メッセージ作成部が作成したメッセージを前記表示装置に出力する表示管理部と、を備え、
前記表示装置は、前記表示管理部からの出力を受けて前記操作画面上にメッセージウィンドウをポップアップ表示することを特徴とするプラント監視制御システム。
【請求項２】
前記プラント監視制御装置は、メッセージの表示条件に関連するリンク情報を格納するリンク情報格納部を備え、前記メッセージ作成部は、作成するメッセージの表示条件に関連するリンク情報を前記リンク情報格納部から検索し、該リンク情報をメッセージと共に前記表示管理部に出力することを特徴とする請求項１記載のプラント監視制御システム。
【請求項３】
前記プラント監視制御装置は、前記操作画面に表示されるメッセージウィンドウの背景色、文字のフォント及びアイコン表示の設定を含むメッセージデザインと、メッセージウィンドウの点滅表示、ポップアップ表示時の発生音を含む効果を、メッセージ毎に設定し格納したデザイン効果格納部を備え、前記表示管理部は、前記メッセージ作成部が作成したメッセージに対応するメッセージデザイン及び効果を前記デザイン効果格納部から検索し、該メッセージデザイン及び効果を適用したメッセージを前記表示装置に出力することを特徴とする請求項１または請求項２に記載のプラント監視制御システム。
【請求項４】
前記メッセージ表示条件格納部は、メッセージ毎に設定された優先度を格納することを特徴とする請求項１から請求項３のいずれか一項に記載のプラント監視制御システム。
【請求項５】
前記プラント監視制御装置は、前記表示装置に出力されたメッセージの内容、表示条件、優先度、及び該メッセージが表示中か否かを示す表示状態情報を格納する発生メッセージ格納部を備えことを特徴とする請求項４記載のプラント監視制御システム。
【請求項６】
前記表示管理部は、前記メッセージ作成部から新規のメッセージを取得した場合、前記発生メッセージ格納部を参照して新規のメッセージと表示中のメッセージの優先度を比較し、優先度の高いメッセージを優先度の低いメッセージの前面に表示することを特徴とする請求項５に記載のプラント監視制御システム。
【請求項７】
前記プラント監視制御装置は、前記メッセージ表示条件格納部に格納されたメッセージの内容及び表示条件をキーワードに基づいて検索するメッセージ検索部と、前記入力装置から入力されたリスト作成指示または前記メッセージ検索部の検索結果に基づいてメッセージのリストを作成するリスト作成部と、前記リスト作成部が作成したリストを前記表示装置に出力するリスト表示管理部とを備え、前記表示装置は、前記リスト表示管理部からの出力を受けて前記操作画面にメッセージリストウィンドウを表示することを特徴とする請求項１から請求項６のいずれか一項に記載のプラント監視制御システム。
【請求項８】
前記プラント監視制御装置は、前記操作画面に表示されたメッセージのリストに対し、メッセージの内容及び表示条件を追加または削除すると共に、変更されたメッセージの内容及び表示条件を前記メッセージ表示条件格納部に格納し前記メッセージ表示条件格納部を更新するメッセージ管理部を備えたことを特徴とする請求項７記載のプラント監視制御システム。
【請求項９】
前記プラント監視制御装置は、所定の条件を満たした場合に表示形式が変更されるメッセージに対し変更後の表示形式を格納するメッセージ表示形式格納部と、該メッセージの表示形式が変更される条件を格納する表示形式変更条件格納部とを備え、前記メッセージ表示条件判定部は、メッセージの表示条件を満たすと判定したメッセージ関連情報または監視情報を前記表示形式変更条件格納部に照会してメッセージの表示形式の変更の要否を判定し、前記表示管理部は、表示形式の変更が必要であると判定されたメッセージを取得した場合、前記メッセージ表示形式格納部から該メッセージの表示形式を取得し、該表示形式に基づいたメッセージを前記表示装置に出力することを特徴とする請求項１から請求項８のいずれか一項に記載のプラント監視制御システム。
【請求項１０】
前記メッセージ表示条件格納部に格納されたメッセージに対し、前記操作画面に表示しないようにするマスク設定をユーザ毎に登録したユーザマスク設定格納部と、ユーザによる前記入力装置への入力によりユーザ認証を行うユーザ認証部と、前記ユーザ認証部により認証されたユーザのマスク設定を前記ユーザマスク設定格納部から取得しマスク処理部へ出力するマスク管理部とを備え、
前記マスク処理部は、前記メッセージ作成部が作成したメッセージを取得し、該メッセージが該ユーザによりマスク設定されていない場合のみ、該メッセージを前記表示管理部に出力することを特徴とする請求項１から請求項９のいずれか一項に記載のプラント監視制御システム。
【請求項１１】
前記プラント監視制御装置を複数台備え、前記メッセージ表示条件格納部に格納されたメッセージに対し、前記操作画面に表示しないようにするマスク設定を前記プラント監視制御装置毎に登録した装置マスク設定格納部と、前記装置マスク設定格納部に格納されたマスク設定を取得しマスク処理部へ出力するマスク管理部とを備え、
前記マスク処理部は、前記メッセージ作成部が作成したメッセージを取得し、該メッセージが該プラント監視制御装置においてマスク設定されていない場合のみ、該メッセージを前記表示管理部に出力することを特徴とする請求項１から請求項９のいずれか一項に記載のプラント監視制御システム。
【発明の詳細な説明】
【技術分野】
【０００１】
本発明は、プラントの制御対象機器を監視及び制御するプラント監視制御装置と表示装置を備えたプラント監視制御システムに関する。
【背景技術】
【０００２】
表示装置の操作画面上でプラントを監視及び制御するプラント監視制御装置として、プラント運転に不具合が発生した場合、その不具合箇所を特定し、対応するエラー処理情報を操作画面上にポップアップ表示する機能を備えたものがある。
【０００３】
例えば特許文献１に開示されたプラント運転支援装置では、エラーコード毎にエラー内容、対処方法、不具合解除処理用スイッチ等のエラー処理情報がデータベース化されており、不具合発生時にエラー処理画面上にエラーメッセージを表示すると共に、不具合を解除する具体的なスイッチが表示される。オペレータは、不具合解除スイッチを操作するだけで、不具合を解除することができる。
【先行技術文献】
【特許文献】
【０００４】
【特許文献１】特開２００２−７３１６４号公報
【発明の概要】
【発明が解決しようとする課題】
【０００５】
しかしながら、従来のプラント監視制御装置には、平常時において、その時々に有効なメッセージ、例えばその日の作業予定を通知するメッセージ、作業漏れ防止に効果のあるメッセージ、プラントの不具合発生の予測に効果のあるメッセージ、あるいはエラー以外の条件（日付、曜日、特殊日、気象等）に対応したメッセージを、操作画面上に適宜表示する機能を有するものはなかった。
【０００６】
また、従来のプラント監視制御装置において、操作画面上にエラーメッセージ以外のメッセージを表示するものはあったが、常時表示されているため、必要時に見落とされるという問題があった。
【０００７】
本発明は、上記のような課題を解決するためになされたものであり、エラー発生時のみならず、平常時においても有効なメッセージを適宜表示することができ、オペレータによるメッセージの見落としを防止することが可能な、監視効率及び操作性の高いプラント監視制御システムを得ることを目的とする。
【課題を解決するための手段】
【０００８】
本発明に係るプラント監視制御システムは、プラントの制御対象機器を監視及び制御するプラント監視制御装置と、プラント監視制御装置の操作画面を有する表示装置と、プラント監視制御装置への入力操作を受け付ける入力装置と、プラント監視制御装置にプラント制御バスを介して制御対象機器の監視情報を送信するプラント情報処理装置とを備えたプラント監視制御システムであって、プラント監視制御装置は、操作画面上に表示されるメッセージの内容及び表示条件を格納するメッセージ表示条件格納部と、監視情報以外のメッセージ関連情報、及びプラント情報処理装置から取得した監視情報をメッセージ表示条件格納部に照会し、該メッセージ関連情報または該監視情報がメッセージの表示条件を満たすか否かを判定するメッセージ表示条件判定部と、メッセージ表示条件判定部により該メッセージ関連情報または該監視情報がメッセージの表示条件を満たすと判定された場合、該表示条件に対応するメッセージの内容をメッセージ表示条件格納部から検索し、該内容に基づいてメッセージを作成するメッセージ作成部と、作業予定及び行事予定の情報を含む日付情報及び曜日情報、時刻情報、気象情報、及びアラーム情報を含むメッセージ関連情報を収集すると共に、収集したメッセージ関連情報を、該メッセージ関連情報に含まれる情報の種類によって設定された周期でメッセージ表示条件判定部に送信するメッセージ関連情報発生部と、メッセージ作成部が作成したメッセージを表示装置に出力する表示管理部と、を備え、表示装置は、表示管理部からの出力を受けて操作画面上にメッセージウィンドウをポップアップ表示するものである。
【発明の効果】
【０００９】
本発明に係るプラント監視制御システムによれば、制御対象機器の監視情報と、現在の日付情報、時刻情報、曜日情報、気象情報、及びアラーム情報を含むメッセージ関連情報とを収集し、取得した情報がメッセージの表示条件を満たす場合に、該情報に対応したメッセージを操作画面上にポップアップ表示するようにしたので、エラー発生時のみならず平常時においても有効なメッセージを適宜表示することができると共に、オペレータによるメッセージの見落としを防止することができ、監視効率及び操作性の向上が図られる。
【図面の簡単な説明】
【００１０】
【図１】本発明の実施の形態１に係るプラント監視制御システムの構成を示す全体図である。
【図２】本発明の実施の形態１に係るプラント監視制御システムのハードウェア構成図である。
【図３】本発明の実施の形態１に係るプラント監視制御装置による処理の流れを示す図である。
【図４】本発明の実施の形態１に係るプラント監視制御装置の操作画面を示す図である。
【図５】本発明の実施の形態２に係るプラント監視制御システムの構成を示す全体図である。
【図６】本発明の実施の形態２に係るプラント監視制御装置の操作画面を示す図である。
【図７】本発明の実施の形態３に係るプラント監視制御システムの構成を示す全体図である。
【図８】本発明の実施の形態３に係るプラント監視制御装置の操作画面を示す図である。
【図９】本発明の実施の形態４に係るプラント監視制御システムの構成を示す全体図である。
【図１０】本発明の実施の形態４に係るプラント監視制御装置の発生メッセージ格納部の構成を示す図である。
【図１１】本発明の実施の形態４に係るプラント監視制御装置の操作画面におけるメッセージ表示方法を説明する図である。
【図１２】本発明の実施の形態５に係るプラント監視制御システムの構成の一部を示す図である。
【図１３】本発明の実施の形態５に係るプラント監視制御装置の操作画面に表示されるメッセージリストウィンドウを示す図である。
【図１４】本発明の実施の形態５におけるメッセージ検索の手順を説明する図である。
【図１５】本発明の実施の形態６に係るプラント監視制御システムの構成の一部を示す図である。
【図１６】本発明の実施の形態６に係るプラント監視制御装置の操作画面に表示されるメッセージリストウィンドウを示す図である。
【図１７】本発明の実施の形態６におけるメッセージ表示条件の追加の手順を説明する図である。
【図１８】本発明の実施の形態６におけるメッセージ表示条件の削除の手順を説明する図である。
【図１９】本発明の実施の形態７に係るプラント監視制御システムの構成を示す全体図である。
【図２０】本発明の実施の形態７に係るプラント監視制御装置の操作画面においてメッセージ表示形式の変更が適用された例を示す図である。
【図２１】本発明の実施の形態８に係るプラント監視制御システムの構成を示す全体図である。
【図２２】本発明の実施の形態９に係るプラント監視制御システムの構成を示す全体図である。
【発明を実施するための形態】
【００１１】
実施の形態１．
以下に、本発明の実施の形態１に係るプラント監視制御システムについて、図面に基づいて説明する。図１は、本実施の形態１に係る水処理施設用プラント監視制御システムの構成を示す全体図、図２は同システムのハードウェア構成図である。なお、各図において、図中、同一、相当部分には同一符号を付している。
【００１２】
本実施の形態１に係るプラント監視制御システムは、図１に示すように、プラント監視制御装置１、入力装置２０、表示装置３０、プラント情報処理装置４０、プラント制御バス５０を含んで構成される。また、本実施の形態１において、プラントの制御対象機器（以下、プラント機器と称す）とは、水処理のための各種設備を構成するポンプ、バルブ等の機器である。
【００１３】
プラント機器を監視及び制御するプラント監視制御装置１は、図２に示すように、ＣＰＵ１Ａ及びメモリ１Ｂを有している。プラント監視制御装置１の各機能は、メモリ１Ｂに記憶されたプログラムを実行するＣＰＵ１Ａにより実現される。プラント監視制御装置１は、プラント制御バス５０を介してプラント情報処理装置４０と通信可能に接続されている。
【００１４】
プラント情報処理装置４０は、プラント機器から水位、水温、流量等の計測データを収集し、それらのデータを監視情報としてプラント監視制御装置１に送信する。また、プラント監視制御装置１は、プラント機器に対する制御情報をプラント情報処理装置４０に送信し、プラント情報処理装置４０は制御情報に基づいてプラント機器を制御する。
【００１５】
入力装置２０は、プラント監視制御装置１への入力操作を受け付ける受信装置２０Ａであり、キーボード、マウス、タッチパネル等である。表示装置３０は、プラント監視制御装置１の操作画面を有する液晶ディスプレイ等である。
【００１６】
本実施の形態１に係るプラント監視制御装置１の機能について、図１を用いて説明する。メッセージ表示条件格納部２は、操作画面上に表示されるメッセージの内容及び該メッセージの表示条件を格納している。メッセージ表示条件格納部２に格納されるメッセージの内容及び表示条件は、オペレータが事前に入力装置２０により入力する。
【００１７】
メッセージ関連情報発生部３は、現在の日付情報、時刻情報、曜日情報、気象情報、及びアラーム情報等を含むメッセージ関連情報を収集し、メッセージ表示条件判定部４に送信する。日付情報や曜日情報の中には、作業、行事等が予定された特別日や特別曜日の情報が含まれる。また、天候、降水量、気温等の気象情報及び地震情報は、インターネット等の通信手段を介して外部システムから取得される。
【００１８】
メッセージ関連情報発生部３がメッセージ表示条件判定部４に対してメッセージ関連情報を送信する周期は、情報の種類によって設定されている。ただし、アラーム情報や気象特別警報等、緊急を要する情報やプラントに与える影響が大きい情報は、取得後すぐに送信される。
【００１９】
メッセージ表示条件判定部４は、メッセージ関連情報発生部３から取得したメッセージ関連情報、及びプラント情報処理装置４０から取得したプラント機器の監視情報を、メッセージ表示条件格納部２に照会し、該メッセージ関連情報または該監視情報がメッセージの表示条件を満たすか否かを判定する。さらに、該メッセージ関連情報または該監視情報がメッセージの表示条件を満たすと判定した場合、該情報と表示条件をメッセージ作成部５に出力する。
【００２０】
メッセージ作成部５は、メッセージ表示条件判定部４によりメッセージの表示条件を満たすと判定されたメッセージ関連情報または監視情報とその表示条件を、メッセージ表示条件判定部４から取得する。さらに、該表示条件に対応するメッセージの内容をメッセージ表示条件格納部２から検索し、該内容に基づいてメッセージを作成する。
【００２１】
表示管理部６は、メッセージ作成部５が作成したメッセージを表示装置３０に出力する。本実施の形態１では、各メッセージの表示形式は一様であるが、メッセージの内容に応じたメッセージデザインや発生音を設定したり、プラントの状況に応じてメッセージの表示形式を変更したりする機能を付加することもできる。これについては後述の実施の形態３及び実施の形態７で説明する。
【００２２】
本実施の形態１に係るプラント監視制御システムにおいて、操作画面にメッセージウィンドウをポップアップ表示する処理の流れについて、図３のフローチャートを用いて説明する。まず、準備段階として、ステップＳ１において、オペレータは、入力装置２０を介してメッセージの内容と表示条件を入力し、メッセージ表示条件格納部２に格納する。
【００２３】
続いて、ステップＳ２において、メッセージ表示条件判定部４は、プラント制御バス５０を介してプラント機器の計測データを含む監視情報を収集すると共に、メッセージ関連情報発生部３からメッセージ関連情報を収集する。続いてステップＳ３において、収集した監視情報またはメッセージ関連情報をメッセージ表示条件格納部２に照会する。
【００２４】
ステップＳ３における処理について、具体例を挙げて詳細に説明する。まず、ステップＳ３１において、メッセージ表示条件判定部４は、取得した監視情報またはメッセージ関連情報に対応する表示条件の項目が、メッセージ表示条件格納部２に格納されているか検索する。
【００２５】
例えば、取得した監視情報が「Ａ処理場のＡ池設備の水位がＡメートル」であった場合、「Ａ処理場のＡ池設備の水位」が表示条件の項目としてメッセージ表示条件格納部２に格納されているか検索する。ステップＳ３１において、「Ａ処理場のＡ池設備の水位」がメッセージの表示条件の項目として格納されていた場合（ＹＥＳ）、ステップＳ３２に進み、取得した監視情報の「Ａメートル」と、メッセージ表示条件の例えば「Ｂメートル以下」を比較する。
【００２６】
続いてステップＳ４において、該メッセージ関連情報または該監視情報がメッセージの表示条件を満たすか否かを判定する。ここでは、Ａメートル≦Ｂメートルであった場合、該監視情報はメッセージの表示条件を満たすと判定される。取得した情報がメッセージの表示条件を満たすと判定した場合（ＹＥＳ）、メッセージ表示条件判定部４は、該メッセージ関連情報または該監視情報をメッセージ表示条件と共にメッセージ作成部５に出力する。
【００２７】
すなわち、上記具体例では、監視情報「Ａ処理場のＡ池設備の水位がＡメートル」と表示条件「Ｂメートル以下」がメッセージ作成部５に出力される。続いてステップＳ５において、メッセージ作成部５は、取得したメッセージ関連情報または監視情報の表示条件に対応するメッセージの内容を、メッセージ表示条件格納部２から検索する。
【００２８】
次に、ステップＳ６において、メッセージ作成部５は、検索した内容に基づいてメッセージを作成する。上記具体例では、取得した監視情報「Ａ処理場のＡ池設備の水位がＡメートル」が表示条件「Ｂメートル以下」を満たしているため、この表示条件に対応する「ポンプＡを停止させてください」というメッセージを作成する。
【００２９】
続いてステップＳ７において、表示管理部６は、メッセージ作成部５が作成したメッセージを表示装置３０に出力し、これを受けた表示装置３０は操作画面３１上にメッセージウィンドウをポップアップ表示し、処理を終了する。なお、ステップＳ３１において取得した情報が表示条件の項目になかった場合（ＮＯ）と、ステップＳ４において取得した情報がメッセージの表示条件を満たさないと判定した場合（ＮＯ）にも、処理を終了する。
【００３０】
図４は、本実施の形態１におけるプラント監視制御装置の操作画面を示している。図４の上段に示すように、平常時の操作画面３１には、監視中のシステム構成を示すグラフィック画面が表示されている。そこに、メッセージ表示条件（例えば１時間当たりの降雨量がＸｍｍ以上）を満たすメッセージ関連情報が取得されると、その表示条件に対応するメッセージ（例えば「ポンプＢを運転させて下さい」）が作成され、図４の下段に示すようなメッセージウィンドウ３２が操作画面３１上にポップアップ表示される。
【００３１】
ポップアップ表示されたメッセージウィンドウ３２は、操作画面３１において最前面に飛び出すように現れる。オペレータは、メッセージウィンドウ３２の「閉じる」ボタンをクリックすることにより、メッセージウィンドウ３２を閉じることができる。「閉じる」ボタンをクリックしない限り、メッセージウィンドウ３２は表示されている。
【００３２】
以上のように、本実施の形態１に係るプラント監視制御システムでは、プラント機器の監視情報と、現在の日付情報、時刻情報、曜日情報、気象情報、及びアラーム情報を含むメッセージ関連情報とを収集し、取得した情報がメッセージの表示条件を満たす場合に、該情報に対応したメッセージを操作画面３１上にポップアップ表示するようにした。
【００３３】
これにより、エラー発生時のみならず、平常時においても有効なメッセージ、例えばその日の作業または行事の予定を通知するメッセージ、作業漏れ防止に効果のあるメッセージ、プラントの不具合発生の予測に効果のあるメッセージ、あるいはその日の気象に対応したメッセージ等を、適宜表示することが可能である。
【００３４】
また、メッセージがポップアップ表示されるため、オペレータによるメッセージの見落としを防止することができ、その結果、作業漏れ等のミスを低減することが可能である。これらのことから、本実施の形態１によれば、監視効率及び操作性の高いプラント監視制御システムが得られる。
【００３５】
実施の形態２．
図５は、本発明の実施の形態２に係る水処理施設用プラント監視制御システムの構成を示す全体図である。なお、図５中、図１と同一部分については、上記実施の形態１と同様であるので説明を省略する。
【００３６】
本実施の形態２に係るプラント監視制御装置１は、上記実施の形態１と同様の構成に加え、メッセージの表示条件に関連するリンク情報を格納するリンク情報格納部７を備えている。メッセージ作成部５は、作成するメッセージの表示条件に関連するリンク情報をリンク情報格納部７から検索し、該リンク情報をメッセージと共に表示管理部６に出力する。これを受けた表示管理部６は、リンクボタンにリンクを割付し、メッセージウィンドウ上にリンクボタンとメッセージを併せて操作画面３１に表示する。
【００３７】
図６は、本実施の形態２におけるプラント監視制御装置の操作画面を示している。図６の上段では、リンクボタン３２１を設けたメッセージウィンドウ３２が操作画面３１に表示されている。ここでは、リンクボタン３２１には「対応マニュアル」と表示されている。このリンクボタン３２１をクリックすると、図６の下段のようにリンクウィンドウ３３が開き、「対応マニュアル」が表示される。
【００３８】
本実施の形態２によれば、上記実施の形態１と同様の効果に加え、メッセージと同時に詳しい対処方法や操作方法等をリンク先として設定したリンクボタン３２１をメッセージウィンドウ３２内に表示することにより、オペレータはより多くの情報を容易に取得することが可能となり、監視効率がさらに向上する。
【００３９】
実施の形態３．
図７は、本発明の実施の形態３に係る水処理施設用プラント監視制御システムの構成を示す全体図である。なお、図７中、図１と同一部分については、上記実施の形態１と同様であるので説明を省略する。
【００４０】
本実施の形態３に係るプラント監視制御装置１は、上記実施の形態１と同様の構成に加え、メッセージデザインと効果をメッセージ毎に設定し格納するデザイン効果格納部８を備えている。メッセージデザインとは、操作画面３１に表示されるメッセージウィンドウ３２の背景色、文字のフォント（サイズ、色を含む）及びアイコン表示等の設定を含んでいる。また、効果とは、メッセージウィンドウ３２の点滅表示、ポップアップ表示時の発生音等を含んでいる。
【００４１】
表示管理部６は、メッセージ作成部５が作成したメッセージに対応するメッセージデザイン及び効果を、デザイン効果格納部８から検索し、該メッセージデザイン及び効果を適用したメッセージを表示装置３０に出力する。
【００４２】
図８は、本実施の形態３におけるプラント監視制御装置の操作画面を示している。図８の上段は、標準仕様のメッセージウィンドウ３２が表示された操作画面３１を示している。これに対し、図８の左下段では、標準仕様からフォントと背景色を変更したメッセージウィンドウ３２Ａが表示されている。また、図８の右下段では、標準仕様にアイコン３２２を追加したメッセージウィンドウ３２Ｂが表示されている。
【００４３】
本実施の形態３によれば、上記実施の形態１と同様の効果に加え、メッセージデザインや効果をユーザが設定することにより、メッセージの見落としをさらに低減することができる。また、メッセージの種類毎、例えば定期点検時に表示されるメッセージや、水位上昇時に表示されるメッセージ等に、異なったデザイン及び効果を設定することにより、メッセージの内容が一目で分かるようになり、監視効率がさらに向上する。
【００４４】
実施の形態４．
図９は、本発明の実施の形態４に係る水処理施設用プラント監視制御システムの構成を示す全体図、図１０は、本実施の形態４における発生メッセージ格納部の構成例を示す図である。なお、図９中、図１と同一部分については、上記実施の形態１と同様であるので説明を省略する。
【００４５】
本実施の形態４に係るプラント監視制御装置１は、上記実施の形態１と同様の構成に加え、表示装置３０に出力されたメッセージの内容、表示条件、優先度、及び該メッセージが表示中か否かを示すメッセージ表示状態情報を格納する発生メッセージ格納部９を備えている。また、メッセージ表示条件格納部２は、メッセージの内容及び表示条件に加え、メッセージ毎に設定された優先度を格納している。
【００４６】
メッセージ作成部５は、新規に作成したメッセージの内容、表示条件、及び優先度を発生メッセージ格納部９に格納する。また、表示管理部６は、メッセージ作成部５から取得した新規のメッセージに対し、該メッセージの発生時刻と共に表示中であるという表示状態情報を発生メッセージ格納部９に格納する。これにより、発生メッセージ格納部９には、図１０に示すように、メッセージの発生時刻、メッセージ、優先度、表示中か否かの表示状態情報が格納される。なお、図１０では、優先度を１、２、３・・・と３段階に分けているが、２段階であっても良いし、さらに細かく分けても良い。
【００４７】
表示管理部６は、メッセージ作成部５から新規のメッセージを取得した場合、該メッセージを表示装置３０に出力する前に、発生メッセージ格納部９から現在表示中のメッセージを検索する。さらに、発生メッセージ格納部９に格納された各メッセージの優先度を参照して新規のメッセージと表示中のメッセージの優先度を比較し、優先度の高いメッセージを優先度の低いメッセージの前面に表示する。
【００４８】
また、入力装置２０から表示中のメッセージウィンドウを閉じる入力を受けた場合、表示管理部６は、該メッセージが非表示であるという表示状態情報を発生メッセージ格納部９に格納した後、表示中のメッセージウィンドウを閉じる。
【００４９】
本実施の形態４に係るプラント監視制御装置１の操作画面３１におけるメッセージの表示方法について、図１１を用いて説明する。図１１の上段では、操作画面３１上に「ポンプＢを運転させてください」というメッセージウィンドウ３２が表示中であり、図１１の下段では、表示中のメッセージよりも優先度の低い「現場運転に切り替えてください」という新規のメッセージウィンドウ３２Ｂを表示する際の表示方法を示している。
【００５０】
上記実施の形態１〜３の場合、メッセージの優先度に関らず、新規メッセージが最前面にポップアップ表示される。このため、図１１の左下段のように、「現場運転に切り替えてください」という新規のメッセージウィンドウ３２Ｂが、「ポンプＢを運転させて下さい」というメッセージウィンドウ３２Ａよりも前面に表示される。
【００５１】
これに対し、本実施の形態４の場合、新規のメッセージが前面に表示されるとは限らず、表示中のメッセージと優先度を比較した上で、優先度の高い方が前面に表示される。従って、図１１の右下段のように、新規のメッセージウィンドウ３２Ｂよりも優先度の高い表示中のメッセージウィンドウ３２Ａが前面に表示される。
【００５２】
本実施の形態４によれば、上記実施の形態１と同様の効果に加え、メッセージの重要性に応じた優先度をユーザが設定し、複数のメッセージウィンドウ３２Ａ、３２Ｂを操作画面３１上に表示する際に、より重要なメッセージが前面に表示されるようにしたので、重要なメッセージの見落としを防止することができる。
【００５３】
実施の形態５．
図１２は、本発明の実施の形態５に係る水処理施設用プラント監視制御システムの構成の一部を示す図である。なお、図１２中、図１と同一部分については、上記実施の形態１と同様であるので説明を省略する。
【００５４】
本実施の形態５に係るプラント監視制御装置１は、上記実施の形態１と同様の構成に加え、メッセージ検索部１０、リスト作成部１１、及びリスト表示管理部１２を備えている。メッセージ検索部１０は、メッセージ表示条件格納部２に格納されたメッセージの内容及び表示条件を、入力装置２０から入力されたキーワードに基づいて検索する。
【００５５】
リスト作成部１１は、オペレータにより入力装置２０から入力されたリスト作成指示を受け、メッセージ表示条件格納部２に格納されたメッセージの内容及び表示条件を全て含むリスト（図１３参照）を作成する。また、リスト作成部１１は、メッセージ検索部１０の検索結果に基づいて、該当するメッセージのみを抽出したリストを作成する機能も有する。
【００５６】
リスト表示管理部１２は、リスト作成部１１が作成したリストを表示装置３０に出力する。表示装置３０は、リスト表示管理部１２からの出力を受けて操作画面３１にメッセージリストウィンドウ３４を表示する。
【００５７】
本実施の形態５におけるメッセージ検索の手順について、図１４を用いて説明する。操作画面３１上には、「リスト表示」ボタンが表示されており、これをユーザがクリックすると、図１４の上段に示すような全てのメッセージを含むメッセージリストウィンドウ３４が表示される。
【００５８】
次に、メッセージリストウィンドウ３４の右下の「検索」ボタンをクリックすると、図１４の中段に示すようなメッセージ検索ウィンドウ３５が表示される。このメッセージ検索ウィンドウ３５に入力装置２０からキーワード、例えば「汚泥棟」を入力し、「検索」ボタンをクリックすると、メッセージ検索部１０はメッセージ表示条件格納部２からキーワードに該当するメッセージと表示条件を抽出する。
【００５９】
ここでは、メッセージの内容及び表示条件に「汚泥棟」を含むメッセージが抽出され、リスト作成部１１に出力される。リスト作成部１１は、抽出されたメッセージのみを含むリストを作成し、リスト表示管理部１２に出力する。リスト表示管理部１２は、図１４の下段に示すように、抽出されたメッセージのみを含むメッセージリストウィンドウ３４Ａを操作画面３１に表示する。
【００６０】
本実施の形態５によれば、上記実施の形態１と同様の効果に加え、メッセージの内容と表示条件をリスト表示することができ、さらに、キーワードに該当するメッセージのみを含むリストを作成することができるため、登録されているメッセージの内容及び表示条件の確認が容易になり、作業効率がさらに向上する。
【００６１】
実施の形態６．
図１５は、本発明の実施の形態６に係る水処理施設用プラント監視制御システムの構成の一部を示す図である。なお、図１５中、図１及び図１２と同一部分については、上記実施の形態１及び実施の形態５と同様であるので説明を省略する。
【００６２】
本実施の形態６に係るプラント監視制御装置１は、上記実施の形態５と同様の構成に加え、メッセージ管理部１３を備えている。メッセージ管理部１３は、操作画面３１に表示されたメッセージのリストに対し、メッセージの内容及び表示条件を追加または削除する機能を有する。さらに、変更されたメッセージの内容及び表示条件をメッセージ表示条件格納部２に格納し、メッセージ表示条件格納部２を更新する。
【００６３】
図１６は、入力装置２０から入力されたリスト作成指示を受けて操作画面３１に表示されたメッセージリストウィンドウ３４を示している。ここでは、すべてのメッセージを含むリストが表示されている。メッセージリストウィンドウ３４の右下には、「追加」ボタン３４２、「削除」ボタン、及び「閉じる」ボタンが表示されている。
【００６４】
本実施の形態６におけるメッセージ表示条件の追加及び削除の手順について、図１７及び図１８を用いて説明する。オペレータが、図１６に示すメッセージリストウィンドウ３４において、マウス等の入力手段により該当するメッセージ欄を選択した後、右下に表示された「追加」ボタン３４２をクリックすると、図１７に示すメッセージ表示条件追加ウィンドウ３６が表示される。
【００６５】
メッセージ表示条件に「雨量」を追加したい場合、図１７の上段の「雨量」をクリックすると、図１７の左下段に示すように、雨量の条件を追加するメッセージ表示条件追加ウィンドウ３６Ａが表示される。また、メッセージ表示条件に「日時」を追加したい場合、図１７の上段の「日時」をクリックすると、図１７の右下段に示すように、日時の条件を追加するメッセージ表示条件追加ウィンドウ３６Ｂが表示される。オペレータは、追加したい表示条件に対応したウィンドウにおいて、追加の操作を行う。これらのウィンドウにおいて、メッセージの内容を変更することも可能である。
【００６６】
メッセージ削除の場合は、図１８の上段に示すように、メッセージリストウィンドウ３４のリストの中から、削除したいメッセージの内容及び表示条件をクリックで選択する。続いて、図１８の中段に示すように、メッセージリストウィンドウ３４の右下に表示された「削除」ボタンをクリックすると、図１８の下段に示すように、選択したメッセージがリストから削除されたメッセージリストウィンドウ３４Ｂが表示される。リストから削除されたメッセージは、メッセージ表示条件格納部２からも削除される。
【００６７】
本実施の形態６によれば、上記実施の形態５と同様の効果に加え、メッセージをリスト表示し、そのリストからメッセージの内容及び表示条件を追加または削除することができるため、点検日時の変更や作業手順の変更等の状況の変化に対応した柔軟なシステムの運用が可能となる。
【００６８】
実施の形態７．
図１９は、本発明の実施の形態７に係る水処理施設用プラント監視制御システムの構成を示す全体図である。なお、図１９中、図１と同一部分については、上記実施の形態１と同様であるので説明を省略する。
【００６９】
本実施の形態７に係るプラント監視制御装置１は、上記実施の形態１と同様の構成に加え、メッセージ表示形式格納部１４と、表示形式変更条件格納部１５とを備えている。メッセージ表示形式格納部１４は、所定の条件を満たした場合に表示形式が変更されるメッセージに対し、変更後の表示形式を格納している。また、表示形式変更条件格納部１５は、表示形式が変更されるメッセージに対し、表示形式が変更される条件、例えば１時間当たりの降水量Ｂｍｍ以上、重故障アラーム発生中等を格納している。
【００７０】
メッセージの表示形式とは、メッセージウィンドウの形状及び表示方法である。例えば、ウィンドウ形状をメッセージが表示できないサイズまで縮小しアイコンを表示し、アイコンをクリックすることで通常のメッセージウィンドウを表示させる方法や、ウィンドウをメッセージが表示できるサイズで縮小する等の方法がある。
【００７１】
本実施の形態７では、メッセージ表示条件判定部４は、メッセージの表示条件を満たすと判定したメッセージ関連情報または監視情報を表示形式変更条件格納部１５に照会し、メッセージの表示形式の変更の要否を判定する。表示形式の変更が必要であると判定された場合、表示管理部６は、メッセージ表示形式格納部１４から該メッセージの変更後の表示形式を取得し、該表示形式に基づいたメッセージを表示装置３０に出力する。
【００７２】
具体例として、メッセージ表示条件判定部４が、メッセージ関連情報「１時間当たりの降雨量Ａｍｍ以上」を取得し、メッセージの表示条件を満たすと判定したとする。この時、メッセージ表示条件判定部４は、「１時間当たりの降雨量」という項目が表示形式変更条件格納部１５に格納されているか検索する。「１時間当たりの降雨量」がメッセージの表示形式変更条件の項目として格納されていた場合、取得したメッセージ関連情報の「Ａｍｍ」と、表示形式変更条件の「Ｂｍｍ以上」を比較し、該情報が表示形式変更条件を満たすか否かを判定する。
【００７３】
ここでは、Ａｍｍ≧Ｂｍｍであった場合、該情報は表示形式変更条件を満たすと判定され、メッセージ表示条件判定部４は、該情報に「表示形式変更要」の情報を付与してメッセージ作成部５に出力する。
【００７４】
メッセージ作成部５は、取得したメッセージ関連情報の表示条件に対応するメッセージの内容をメッセージ表示条件格納部２から検索し、「表示形式変更要」の情報と共に表示管理部６に出力する。「表示形式変更要」の情報を受け取った表示管理部６は、メッセージ表示形式格納部１４から変更後の表示形式を取得し、該表示形式を適用したメッセージを表示装置３０に表示する。
【００７５】
図２０は、本実施の形態７において表示形式の変更が適用された操作画面の例を示している。図２０の上段には、操作画面３１に監視中のシステム構成を示すグラフィック画面が表示されている。ここで、メッセージの表示形式変更条件を満たすメッセージ関連情報が取得されると、この変更条件に対応する表示形式が適用され、図２０の中段に示すようなアイコン３１１がフリッカ表示される。オペレータがアイコン３１１をクリックすると、アイコン３１１が消え、図２０の下段に示すような通常のメッセージウィンドウ３２が表示される。
【００７６】
本実施の形態７によれば、上記実施の形態１と同様の効果に加え、メッセージウィンドウ３２の形状及び表示方法をプラントの状況に応じて変更することができるため、より重要度の高い作業を阻害せず、作業性の向上や効率的なプラント管理が可能となる。
【００７７】
実施の形態８．
図２１は、本発明の実施の形態８に係る水処理施設用プラント監視制御システムの構成を示す全体図である。なお、図２１中、図１と同一部分については、上記実施の形態１と同様であるので説明を省略する。
【００７８】
本実施の形態８に係るプラント監視制御装置１は、上記実施の形態１と同様の構成に加え、ユーザ認証部１６、マスク管理部１７及びマスク処理部１８を備えている。また、本実施の形態８に係るプラント監視制御システムは、プラント制御バス５０に接続されたＷｅｂサーバ６０を構成するユーザマスク設定格納部６１を備えている。ユーザマスク設定格納部６１は、メッセージ表示条件格納部２に格納されたメッセージに対し、操作画面３１に表示しないようにするマスク設定をユーザ毎に登録したものである。
【００７９】
本実施の形態８に係るプラント監視制御装置１を操作するオペレータ、すなわちユーザは、入力装置２０でユーザ認証操作を行い、入力した情報はユーザ認証部１６に送られる。ユーザ認証部１６は、ユーザによる入力装置２０への入力によりユーザ認証を行う。マスク管理部１７は、ユーザ認証部１６により認証されたユーザのマスク設定をユーザマスク設定格納部６１から取得し、マスク処理部１８へ出力する。メッセージ作成部５は、上記実施の形態１と同様にメッセージを作成し、作成したメッセージをマスク処理部１８に出力する。
【００８０】
マスク処理部１８は、メッセージ作成部５が作成したメッセージを取得し、該メッセージが該ユーザによりマスク設定されているか判定し、マスク設定されていない場合のみ該メッセージを表示管理部６に出力する。
【００８１】
本実施の形態８によれば、上記実施の形態１と同様の効果に加え、メッセージの表示有無をユーザ毎に設定するようにしたので、該ユーザにとって不必要なメッセージを非表示にすることが可能となり、作業を阻害されることがなくなり監視効率が向上する。また、複数のプラント監視制御装置１がある場合も、ユーザ認証部１６でユーザ認証を行い、ユーザ毎に設定したマスク設定に切り替えることができるため、どのプラント監視制御装置１を使用した場合も同じ作業効率で作業することが可能である。
【００８２】
実施の形態９．
図２２は、本発明の実施の形態９に係る水処理施設用プラント監視制御システムの構成を示す全体図である。なお、図２２中、図１と同一部分については、上記実施の形態１と同様であるので説明を省略する。
【００８３】
本実施の形態９に係るプラント監視制御システムは、複数台のプラント監視制御装置１（図示は１台のみ）と、プラント制御バス５０に接続されたＷｅｂサーバ６０を構成する装置マスク設定格納部６２を備えており、各々のプラント監視制御装置１は、上記実施の形態１と同様の構成加え、マスク管理部１７及びマスク処理部１８を備えている。
【００８４】
装置マスク設定格納部６２は、メッセージ表示条件格納部２に格納されたメッセージに対し、操作画面３１に表示しないようにするマスク設定を、プラント監視制御装置１毎に登録したものである。マスク管理部１７は、装置マスク設定格納部６２に格納されたマスク設定を取得し、マスク処理部１８へ出力する。メッセージ作成部５は、上記実施の形態１と同様にメッセージを作成し、作成したメッセージをマスク処理部１８に出力する。
【００８５】
マスク処理部１８は、メッセージ作成部５が作成したメッセージを取得し、該メッセージが該プラント監視制御装置１においてマスク設定されているか判定し、マスク設定されていない場合のみ該メッセージを表示管理部６に出力する。
【００８６】
本実施の形態８によれば、上記実施の形態１と同様の効果に加え、メッセージの表示有無をプラント監視制御装置１毎に設定するようにしたので、ユーザが複数のプラント監視制御装置１を使用する際、それぞれの装置において異なるマスク設定で作業することができる。これにより、装置毎に作業内容が決まっている場合に、その作業と無関係なメッセージを非表示にすることが可能となり、作業を阻害されることがなくなり監視効率が向上する。
【００８７】
なお、本発明は、その発明の範囲内において、各実施の形態を自由に組み合わせたり、各実施の形態を適宜、変形、省略したりすることが可能である。
【産業上の利用可能性】
【００８８】
本発明は、操作画面を有する表示装置及びプラント監視制御装置を備えたプラント監視制御システムに利用することができる。
【符号の説明】
【００８９】
１  プラント監視制御装置、１Ａ  ＣＰＵ、１Ｂ  メモリ、
２  メッセージ表示条件格納部、３  メッセージ関連情報発生部、
４  メッセージ表示条件判定部、５  メッセージ作成部、６  表示管理部、
７  リンク情報格納部、８  デザイン効果格納部、９  発生メッセージ格納部、
１０  メッセージ検索部、１１  リスト作成部、１２  リスト表示管理部、
１３  メッセージ管理部、１４  メッセージ表示形式格納部、
１５  表示形式変更条件格納部、１６  ユーザ認証部、１７  マスク管理部、
１８  マスク処理部、２０  入力装置、２０Ａ  受信装置、３０  表示装置、
３１  操作画面、４０  プラント情報処理装置、５０  プラント制御バス、
６０  Ｗｅｂサーバ、６１  ユーザマスク設定格納部、６２  装置マスク設定格納部
【図１】
0006552430.tif 000002
【図２】
0006552430.tif 000003
【図３】
0006552430.tif 000004
【図４】
0006552430.tif 000005
【図５】
0006552430.tif 000006
【図６】
0006552430.tif 000007
【図７】
0006552430.tif 000008
【図８】
0006552430.tif 000009
【図９】
0006552430.tif 000010
【図１０】
0006552430.tif 000011
【図１１】
0006552430.tif 000012
【図１２】
0006552430.tif 000013
【図１３】
0006552430.tif 000014
【図１４】
0006552430.tif 000015
【図１５】
0006552430.tif 000016
【図１６】
0006552430.tif 000017
【図１７】
0006552430.tif 000018
【図１８】
0006552430.tif 000019
【図１９】
0006552430.tif 000020
【図２０】
0006552430.tif 000021
【図２１】
0006552430.tif 000022
【図２２】
0006552430.tif 000023